(57)【要約】【課題】実釣時において、ルアーアクションを支障無く行える魚釣用リールを提供することを目的とする。【解決手段】本発明は、リール本体１に設けられたスプール７に、リール本体１の側部に設けられた巻取り駆動機構のハンドル５の回転操作でスプール７に釣糸を巻回する魚釣用リールにおいて、リール本体１に設けた釣竿装着部２ｃの下方側で釣竿Ｒを保持した手の指で操作可能な位置に、釣糸巻取り用の補助操作部材の操作部３１ａを配設し、この操作部３１ａの操作によってスプール７に釣糸を補助的に巻回可能としたことを特徴とする。【選択図】    図５
2004187644.tif 000002
【特許請求の範囲】
【請求項１】
リール本体に設けられたスプールに、リール本体の側部に設けられた巻取り駆動機構のハンドルの回転操作でスプールに釣糸を巻回する魚釣用リールにおいて、
前記リール本体に設けた釣竿装着部の下方側で釣竿を保持した手の指で操作可能な位置に、釣糸巻取り用の補助操作部材の操作部を配設し、
前記操作部の操作によって前記スプールに釣糸を補助的に巻回可能としたことを特徴とする魚釣用リール。
【請求項２】
前記補助操作部材は、ハンドルの操作で連動回転する回転体に一方向クラッチを介して連結されていることを特徴とする請求項１に記載の魚釣用リール。
【発明の詳細な説明】
【０００１】
【発明の属する技術分野】
本発明は、リール本体の側板間に釣糸が巻回されるスプールを回転自在に支持した魚釣用リールに関し、特に、ルアーフィッシングに適した魚釣用リールに関する。
【０００２】
【従来の技術】
従来、釣法の一つとして、ルアーと称される疑似餌にアクションを与えて魚を釣るルアーフィッシングが知られており、例えば、特許文献１や特許文献２に開示されているような構成の魚釣用リールが使用されている。このルアーフィッシングにおいて、通常、魚は一定のスピードと動きをするものにあまり興味を示さない習性があることから、ロッド及びリールの操作によってルアーを止めたり、動かしたりする等のアクションを与えることが行なわれている。
【０００３】
この場合の操作の一つとして、キャスト後にロッドを引き上げてルアーにアクションを与え、その引き上げた分の釣糸を、ロッドを下げながら糸ふけが生じないようにハンドルを回転操作してスプールに巻回することがある。そして、釣人は、この一連のルアーアクション（仕掛けの巻取り誘導操作）を、釣場の状況に応じて何回も繰り返し行い、魚のヒッティングを待つことになる。
【０００４】
【特許文献１】
特許第３００９０７４号公報
【特許文献２】
特許第３０２５１７２号公報。
【０００５】
【発明が解決しようとする課題】
ところで、上記した構成の魚釣用リールでルアーフィッシングを行う場合、釣人は、上記したルアーアクション操作を、リールを握持保持した手によるロッド操作と、反対側の手による巻取り回転操作とを使い分けて行わなければならず、キャスティング操作後のロッドを操作する腕が伸びきっている状態や、ハンドルが下側に向いている状態（手首の関係上、ロッドと共に保持しているハンドルは下側を向き易い）では、他方の手が不自然な位置となって、容易かつ微妙なハンドル回転操作、すなわち巻取り操作が行えない、という不具合がある。
【０００６】
また、釣場の障害物やハンドル側の手で物を持っている場合、或いは片方の手で釣竿を支え、他方の手で魚を取り込むための手網を持っている場合等、手がふさがってしまい、ハンドル側の手で巻取り操作ができない状況が発生することもある。
【０００７】
本発明は、上記したような問題に基づいてなされたものであり、実釣時において、ルアーアクション操作を支障無く行える魚釣用リールを提供することを目的とする。
【０００８】
【課題を解決するための手段】
上記した目的を達成するために、本発明に係る魚釣用リールは、リール本体に設けられたスプールに、リール本体の側部に設けられた巻取り駆動機構のハンドルの回転操作でスプールに釣糸を巻回する構成において、前記リール本体に設けた釣竿装着部の下方側で釣竿を保持した手の指で操作可能な位置に、釣糸巻取り用の補助操作部材の操作部を配設し、前記操作部の操作によって前記スプールに釣糸を補助的に巻回可能としたことを特徴とする。
【０００９】
上記した構成の魚釣用リールによれば、キャスティング操作を行った後、釣竿を握持保持している側の手の指で補助操作部材の操作部を操作することにより、そのままスプールの巻取り操作が行えるようになる。すなわち、釣竿を操作する腕の伸縮状態や、その腕の手首の状態に何等影響を受けることなく、釣竿を握持保持している側の手の指による操作で、容易かつ微妙な釣糸の巻取り操作が行えるようになる。また、操作部をリール本体の釣竿装着部の下方に位置させたことから、釣竿を握持保持している側の手、又は釣竿を握持保持していない側のどちら側の手でも、釣糸の巻取り補助操作が行える。
なお、前記補助操作部材の操作部は、ルール本体を釣竿に装着した際、釣竿の下方に位置するように構成される。
【００１０】
【発明の実施の形態】
以下、本発明に係る魚釣用リールの実施形態について、添付図面を参照して具体的に説明する。
図１〜図５は、本発明に係る魚釣用リールの第１の実施形態を示す図であり、図１は平面図及び主要部を拡大して示す図、図２は側板を外してハンドル側から見た側面図、図３は補助操作部材の部分を拡大して示す図、図４は操作状態を示す側面図、そして、図５は操作状態を示す正面図である。
【００１１】
本実施形態の魚釣用リールのリール本体１は、フレーム２の左右枠２ａ，２ｂに対し、所定の空間をもって装着される左右側板３ａ，３ｂを備えると共に、フレーム２には、左右枠２ａ，２ｂ間において、釣竿Ｒに対して装着される釣竿装着部２ｃが設けられている。
【００１２】
前記側板の内、一方の側板側（本実施形態では左側板３ａ側）には、ハンドル５を装着したハンドル軸６が回転可能に支持されている。また、左右側板３ａ，３ｂ間には、釣糸が巻回されるスプール７が取り付けられたスプール軸８が回転可能に支持されており、スプール７は、前記ハンドル軸６に取り付けられている駆動歯車１０、及びスプール軸８に取り付けられているピニオン１２を具備した巻取り駆動機構１３を介して、ハンドル５の回転操作によって回転駆動されるように構成されている。
【００１３】
上記したハンドル軸６には、スプール７に対する制動力を調節する公知のドラグ機構を操作するための回転体１５（ドラグ調節体）が設けられており、この回転体１５を回転操作することにより、釣糸繰出時のスプール回転に所望の制動力が付与されるようになっている
上記したリール本体１のスプール７前方における左右側板３ａ，３ｂ間には、巻取り駆動機構１３に歯車伝達機構Ａ１〜Ａ４を介して連動回転し、スプール７に釣糸を平行に巻回するよう左右に往復動するレベルワインド装置２０を構成する駆動軸２１が回転自在に支持されている。この駆動軸２１の外周には、釣糸案内体２２が回り止め係合される螺旋溝２１ａが形成されており、駆動軸２１が回転駆動された際、釣糸案内体２２を左右に往復動し、釣糸をスプール７に均等に巻回するようになっている。
【００１４】
前記ハンドル軸６は、一端部が左枠２ａに対して軸受２３によって回転可能に支持されると共に、ハンドル軸６には、軸受２３に隣接して配設された一方向クラッチ２５を介して補助操作部材３０が装着されている。この補助操作部材３０は、左側板３ａの下面に形成された開口３ｃを介してリール本体の下方に突出すると共に中間部でスプール軸方向に屈曲され、かつ前記釣竿装着部２ｃの下方側において、下方に屈曲形成された操作レバー３１を備えており、この操作レバー３１の釣竿装着部２ｃの下方側において、下方に屈曲形成された部分３１ａ（以下、操作部３１ａ）が、釣竿Ｒを保持した手の指で牽引操作可能となっている。そして、操作レバー３１は、リール本体内に設けられた付勢バネ３２により、常時、前方側に向けて回動付勢されている。
【００１５】
前記一方向クラッチ２５は、補助操作部材３０に嵌合される外輪２６と、保持器２７に保持された複数のコロ２８とを備えており、補助操作部材３０の操作レバー３１が付勢バネ３２の付勢力によって前方に付勢されている状態では、ハンドル軸６が巻取り駆動された際（図３において反時計方向の回転）、コロ２８は外輪２６の自由回転領域に位置して、その回転駆動力は補助操作部材３０に伝達されず、また、操作レバー３１の操作部３１ａを付勢バネ３２の付勢力に抗して移動操作（後方に牽引操作）すると、コロ２８は外輪２６の楔領域に位置して、操作部３１ａによる補助操作部材３０の回動を、一方向クラッチ２５を介してハンドル軸６に伝達するようになっている。
【００１６】
上記のように構成された補助操作部材３０を設けたことにより、公知のクラッチ機構Ｋをスプールフリー状態に切換えてキャスティング操作を行った後、ルアーアクションを行うに際して、釣竿Ｒと共にリール本体の反ハンドル側側板３ｂを握持保持している手の指Ｈ（人差し指、中指、薬指）で操作レバー３１の操作部３１ａを付勢バネ３２の付勢力に抗して牽引操作することが可能となり、このような牽引操作を行うことで、前記一方向クラッチ２５を介して、その回動力がハンドル軸６に伝達されることから、クラッチ機構Ｋがスプールフリー状態から巻取り状態に切換えられると共に、そのまま連続してスプール７の微妙な巻取り操作（巻取り補助操作）が行えるようになる。すなわち、釣竿Ｒを操作する腕の伸縮状態や、その腕の手首の状態に何等影響を受けることなく、リール本体１を握持保持している手の指による操作で、安定した保持状態を維持しながら微妙な釣糸の巻取り操作が迅速且つ容易に行えるようになる。そして、巻回操作を行う操作部分は、レバー形状となっており、かつ装着された釣竿Ｒの下方側に位置していることから、釣竿を保持した手の指が優しくフィットすることができて牽引操作が容易に行えると共に、釣竿Ｒを握持保持している側の手、又は釣竿Ｒを握持保持していない側のどちら側の手でも、釣糸の巻取り補助操作が行えるようになり、操作性が一段と向上する。
【００１７】
また、補助操作部材３０を、一方向クラッチ２５を介在させて、スプール７を駆動する回転軸に設けたため、ハンドル５を巻取り操作してスプール７に釣糸を巻回する時には、補助操作部材３０が連動することはなく、この結果、安定した保持状態を維持しながら仕掛けの巻取り誘導操作を支障なく、迅速かつ容易に行える。
【００１８】
上記したスプール７を補助的に巻回駆動する補助操作部材については、リール本体の様々な位置に配設することが可能である。以下、そのように構成した実施形態について説明する。なお、以下の実施形態では、上記実施形態と同一の構成部材については、同一の参照符号を付し、その説明を省略、又は簡略化する。
【００１９】
図６〜図８は、本発明に係る魚釣用リールの第２の実施形態を示す図であり、図６は平面図及び主要部を拡大して示す図、図７は反ハンドル側から見た図、そして、図８は釣竿に装着した状態を示す正面図である。
【００２０】
本実施形態では、左側板３ａの後方側に配設されているハンドル軸６に同軸上で一体回転可能な延出部３３を形成し、この延出部３３の先端を右枠２ｂから突出させると共に、その突出端に、上記同様、一方向クラッチ３５を介して、釣竿装着部２ｃの下方側に位置する操作部３９ａを備えた操作レバー３９を有する補助操作部材３７を支持したものである。前記延出部３３は、両側枠２ａ，２ｂにおいて軸受３８を介して回転可能に支持されており、補助操作部材３７の操作レバー３９は、反ハンドル側側板３ｂの下面後方に形成された開口部を介して外部に突出している。また、操作レバー３９の操作部３９ａは、反ハンドル側側板３ｂと共に釣竿Ｒを握持保持した状態の手の指（主に中指又は薬指）で回動操作可能な大きさと位置に形成されている。
【００２１】
なお、操作レバー３９は、リール本体内に設けられた付勢バネ（図示せず）により、常時、前方側に向けて付勢されている。また、本実施形態における補助操作部材３７の操作レバー３９は、補助操作部材３７の本体に対して、例えば弾性係止手段３９ｂを設けることで着脱可能に構成されている。
【００２２】
前記一方向クラッチ３５は、前記実施形態と同様に構成されており、補助操作部材３７の操作レバー３９が付勢バネの付勢力によって前方に付勢されている状態では、延出部３３がハンドル軸６の巻取り駆動と共に回転駆動されても（図７において時計方向の回転）、その回転駆動力は補助操作部材３７に伝達されず、また、操作レバー３９の操作部３９ａを付勢バネの付勢力に抗して移動操作（後方に牽引操作）すると、その回動は、延出部３３を介してハンドル軸６に伝達されるようになっている。
【００２３】
このように、補助操作部材は、ハンドル側側板のみならず、反ハンドル側側板３ｂの適所に設けることが可能であり、このような構成においても、前記実施形態と同様な作用効果が得られる。なお、操作レバー３９を補助操作部材３７の本体に対して着脱可能に構成したことで、特に、スプール７の補助的巻回操作を必要としない釣法においても、支障なく利用することが可能となる。
【００２４】
図９〜図１１は、本発明に係る魚釣用リールの第３の実施形態を示す図であり、図９は平面図及び主要部を拡大して示す図、図１０は反ハンドル側から見た部分断面図、そして、図１１は釣竿に装着した状態を示す正面図である。
【００２５】
本実施形態の魚釣用リールは、スプール７の前方に配設されたレベルワインド装置２０を構成する駆動軸２１の右枠２ｂから突出する部分に、抜け止め止め輪４０を介して歯車４１が装着されている。この歯車４１には、右枠２ｂに回転可能に支持された歯車４３が噛合しており、この歯車４３には、一方向クラッチ４５を介在して、補助操作部材５０が回転可能となるように配設されている。
【００２６】
前記補助操作部材５０は、右側板３ｂの下面に形成された開口３ｄを介してリール本体の下方に突出すると共に、上記同様、釣竿装着部２ｃの下方側に位置する操作部５１ａを備えた操作レバー５１を有しており、この操作レバー５１は、リール本体内に設けられた付勢バネ５２により、常時、前方側に向けて回動付勢されている。
【００２７】
前記一方向クラッチ４５は、前記実施形態と同様に構成されており、補助操作部材５０の操作レバー５１が付勢バネの付勢力によって前方に付勢されている状態では、ハンドル軸６が巻取り駆動されても、その回転駆動力は補助操作部材５０に伝達されず、また、補助操作部材５０の操作レバー５１の操作部５１ａを付勢バネ５２の付勢力に抗して移動操作（後方に牽引操作）すると、操作レバー５１の回動を、前記歯車４３，４１及び上述した歯車伝達機構Ａ４〜Ａ１（図２参照）を介してハンドル軸６に伝達するようになっている。
【００２８】
このような構成においても、上述した実施形態と同様な作用効果が得られる。なお、本実施形態においても、操作レバー５１は、補助操作部材５０の本体に対して螺合結合されて着脱可能に構成されており、スプール７の補助的巻回操作を必要としない釣法においても、支障なく利用することが可能となっている。
【００２９】
図１２及び図１３は、本発明に係る魚釣用リールの第４の実施形態を示す図であり、図１２はハンドル側側板内の内部構成を示す図、図１３は釣竿に装着した状態を示す正面図である。
【００３０】
本実施形態では、釣糸巻取り用の補助操作部材をダイヤル式に構成して、釣竿装着部２ｃの下方側に回動操作可能となるように、リール本体１に設けたものである。具体的には、ハンドル５を巻取り操作することでスプール７を回転駆動可能にする動力伝達経路の任意の位置に、補助操作部材を回動操作した際の回転駆動力をスプールに伝達する駆動入力部を係合させ、スプール７を補助的に巻回可能としたものである。
【００３１】
本実施形態では、リール本体の左側板３ａ側に、釣竿装着部２ｃの下方側で回動操作可能に支持された補助操作部材（操作部）７０を保持した補助操作ユニット６０を設けている。この補助操作ユニット６０は、リール本体の左側板３ａ側に一体的に形成されており、スプール７及びレベルワインド装置２０に駆動力を伝達する歯車伝達機構Ａ１〜Ａ４の中間ギヤＡ３に噛合する駆動入力部となるギヤ６１を備えている。また、補助操作ユニット６０は、ベベルギヤによって構成された歯車列６３，６４，６５を収容しており、ダイヤル状の補助操作部材７０からの回転駆動力を、これら歯車列６３，６４，６５を介して、ベベルギヤ６５と同軸上に配設された前記ギヤ６１に伝達するよう構成されている。
【００３２】
このように、補助操作部材は、釣竿装着部の下方側で、スプール７を補助的に巻取り操作可能であれば、レバー形状以外にも適宜変形することが可能であり、このような構成においても、上述した実施形態と同様な作用効果が得られる。
【００３３】
なお、上記した補助操作部材７０を有する補助操作ユニット６０は、リール本体に一体形成しても良いし、リール本体に対して着脱可能に構成しても良い。また、補助操作ユニット６０内の何れかのギヤに、上記した実施形態の構成と同様な一方向クラッチを配設しておくことで、通常のハンドル５の巻取り操作による回転駆動力を、補助操作部材７０に伝達させないように構成することも可能である。また、補助操作部材７０を上記したようなダイヤル式に構成した場合は、操作性の向上が図れるよう、外周に凹凸部７０ａを形成しておくことが好ましい。
【００３４】
以上、本発明の実施形態について説明したが、上記した補助操作部材は、ハンドルを巻取り駆動した際に、回転駆動される各所の回転軸（歯車のような回転体を含む）上に設けることが可能であり、その操作部は、釣竿装着部２ｃの下方側で釣竿Ｒを保持した手の指で操作可能な位置に設けられていれば、リール本体１の適所に設けることが可能である。また、補助操作部材や実際の操作が行なわれる操作部の形状、及びその操作方法については、上記したレバー形状やダイヤル形状以外にも、例えば、円形状の操作部外周にゴムやコルク等を設けて構成する等、適宜変形することが可能である。また、補助操作部材は、上記した一方向クラッチを介在させない構成であっても良い。
【００３５】
【発明の効果】
以上説明したように、本発明の魚釣用リールによれば、釣竿を保持した手の指で補助操作部材を移動操作することで、リールを安定して保持した状態を維持しながら、ルアーアクション操作を迅速かつ容易に行えるようになる。
【図面の簡単な説明】
【図１】本発明に係る魚釣用リールの第１の実施形態を示す平面図及び主要部を拡大して示す図。
【図２】図１に示す魚釣用リールの側板を外してハンドル側から見た側面図。
【図３】補助操作部材の部分を拡大して示す図。
【図４】図１に示す魚釣用リールの操作状態を示す側面図。
【図５】図１に示す魚釣用リールの操作状態を示す正面図。
【図６】本発明に係る魚釣用リールの第２の実施形態を示す平面図及び主要部を拡大して示す図。
【図７】図６に示す魚釣用リールを反ハンドル側から見た図。
【図８】図６に示す魚釣用リールを釣竿に装着した状態を示す正面図。
【図９】本発明に係る魚釣用リールの第３の実施形態を示す図であり、平面図及び主要部を拡大して示す図。
【図１０】図９に示す魚釣用リールを反ハンドル側から見た図。
【図１１】図９に示す魚釣用リールを釣竿に装着した状態を示す正面図。
【図１２】本発明に係る魚釣用リールの第４の実施形態を示す図であり、ハンドル側側板内の内部構成を示す図。
【図１３】釣竿に装着した状態を示す正面図。
【符号の説明】
１  リール本体
３ａ，３ｂ  側板
５  ハンドル
７  スプール
１３  巻取り駆動機構
２５，３５，４５  一方向クラッチ
３０，３７，５０，７０  補助操作部材
３１，３９，５１  操作レバー
３１ａ，３９ａ，５１ａ  操作部
Ｒ  釣竿
【図１】
2004187644.tif 000003
【図２】
2004187644.tif 000004
【図３】
2004187644.tif 000005
【図４】
2004187644.tif 000006
【図５】
2004187644.tif 000007
【図６】
2004187644.tif 000008
【図７】
2004187644.tif 000009
【図８】
2004187644.tif 000010
【図９】
2004187644.tif 000011
【図１０】
2004187644.tif 000012
【図１１】
2004187644.tif 000013
【図１２】
2004187644.tif 000014
【図１３】
2004187644.tif 000015